(57)【要約】【課題】  衣服内部の換気機能により優れており、快適に運動が行なえる衣服を提供する。【解決手段】  本発明の運動用衣服は；着用された際における裾線と着用者の臍点との距離が約０〜７ｃｍとなるように着丈が設定されており；且つ前身頃と後身頃の少なくとも一方に１または２以上の開口部を有することを特徴とする。【選択図】      図１
2006193873.tif 000002
【特許請求の範囲】
【請求項１】
運動時に着用する衣服であって、
着用された際における裾線と着用者の臍点との距離が約０〜７ｃｍとなるように着丈が設定されており、且つ
前身頃と後身頃の少なくとも一方に１または２以上の開口部を有することを特徴とする運動用衣服。
【請求項２】
裾周りが、着用者の臍点を含む胴回りの１．４倍以上となるように設定されている請求項１に記載の運動用衣服。
【請求項３】
少なくとも前身頃に開口部を有する請求項１または２に記載の運動用衣服。
【請求項４】
ネックライン長さが、着用者の首周りの１．２倍以上となるように設定されている請求項１〜３のいずれかに記載の運動用衣服。
【請求項５】
上記開口部の長さが５ｃｍ以上である請求項１〜４のいずれかに記載の運動用衣服。
【発明の詳細な説明】
【技術分野】
【０００１】
本発明は、ジョギングやランニング、体育の授業時などに着用する運動用の衣服に関するものである。
【背景技術】
【０００２】
従来、様々な運動競技に対しては、その競技に特有の動きなどに応じたユニフォームが考案されており、さらなる改良が加えられている。しかし、この様なユニフォームの存在にかかわらず、試合以外の普段における練習時には、ユニフォームではなくいわゆるＴシャツが着用されることも多い。ところが、Ｔシャツは必ずしも運動時の着用を想定したものではないため、様々な問題が起こり得る。
【０００３】
例えば、運動時には筋肉活動により発熱するため、体温を適度な範囲に維持すべく発汗する。ところが、この発汗が続けば濡れた着衣が体に密着するなど不快感が増大してしまう。この点を考慮して、陸上競技のユニフォームでは、内部温度や湿度を低減すべく、その一部がメッシュ素材により構成されているものがある。しかし、Ｔシャツでは、競技用ユニフォームほどに機能性を重視したものは少なく、せいぜい気温が高い時には薄い素材のものを着用する程度である。
【０００４】
斯かる事情は、学校現場における体操服でも同様である。つまり、体操服は所属する集団（学校など）を他から区別するために用いられており、各集団の象徴として課外活動などで利用されている。そのような目的を理由としてか、機能性は重視されていない。特に、夏期も冬期と同一の体操服が義務付けられている場合には、炎天下で運動する際における不快感は大変なものとなる。
【０００５】
しかし、これまでにも多量の発汗を伴う状況を考慮し、衣服の一部に開口部を設けることにより衣服内部の換気を促進させる技術が開発されている。例えば特許文献１と２には、激しい運動など多量の発汗を伴う状況で着用するのに適する衣服であって、前身頃と後身頃の特定位置に開口部が設けられているものが記載されている。また、特許文献３には、後身頃の特定位置と脇の下に通気口が設けられている上衣が開示されている。これら従来の衣服では、開口部により運動時等における衣服内の換気を促進し、衣服内の湿気の上昇などによる不快感の低減が図られている。
【特許文献１】特開2000-212801（［特許請求の範囲］，図１と２）
【特許文献２】特開平9-170106（［特許請求の範囲］，図１と２）
【特許文献３】特開平11-256415（［特許請求の範囲］，図１と２）
【発明の開示】
【発明が解決しようとする課題】
【０００６】
上述したように、衣服に開口部を設けることにより換気を促進し、衣服内部の温度や湿度を低減する技術は知られていた。しかし、特に高温高湿度の環境下においては、多量の発汗で衣服が体表面に密着するなど、十分にその機能を発揮できない場合がある。
【０００７】
そこで、本発明が解決すべき課題は、衣服内部の換気機能により優れており、快適に運動が行なえる衣服を提供することにある。
【課題を解決するための手段】
【０００８】
本発明者らは、上記課題を解決すべく、運動時における衣服の「ふいご作用」に着目した。この「ふいご作用」は、運動の際に衣服と体との間における空間容積が変化することにより、衣服内の空気が入れ換わるものである。本発明者らは、適切な位置に開口部を設けた衣服において、運動時に着用衣服が効果的に動く（揺れる）条件を設定すれば、衣服内部の換気をより一層促進できることを見出して、本発明を完成した。
【０００９】
即ち、運動用衣服は、運動時に着用する衣服であって；着用された際における裾線と着用者の臍点との距離が約０〜７ｃｍとなるように着丈が設定されており；且つ前身頃と後身頃の少なくとも一方に１または２以上の開口部を有することを特徴とする。
【００１０】
本発明衣服としては、その裾周りが、着用者の臍点を含む胴回りの１．４倍以上となるように設定されているものが好適である。また、上記開口部は、少なくとも前身頃に開口部に設けられていることが好ましい。ジョギングやランニング等の運動の際に、風を効果的に衣服内部へ取り入れることができるからである。
【００１１】
本発明衣服においては、そのネックライン長さが、着用者の首周りの１．２倍以上となるように設定されているものが好ましい。斯かる範囲内であれば、ネックラインからも風を衣服内部へ取り入れることができると共に、煙突効果により衣服内の蒸し暑い空気を外部へ速やかに放出することが可能になるからである。
【００１２】
また、上記開口部の長さとしては５ｃｍ以上が好適である。５ｃｍ以上であれば、運動時において、空気を外部から衣服内部へ効果的に取り入れることができるからである。
【発明の効果】
【００１３】
本発明の運動用衣服は、運動時において効果的に動く（揺れる）ことから体外の空気を積極的に衣服内部に取り入れることができ、換気が促進される。その結果、多量の発汗を伴う激しい運動時においても、快適に運動を継続することができる。従って、本発明の運動用衣服は、ランニング等のトレーニングや運動選手の普段の練習時に適するだけでなく、学校の体操服や、競技用ユニフォームにも適用できるものとして非常に有用である。
【発明を実施するための最良の形態】
【００１４】
本発明の運動用衣服は、運動時に着用する衣服であって；着用された際における裾線と着用者の臍点との距離が約０〜７ｃｍとなるように着丈が設定されており；且つ前身頃と後身頃の少なくとも一方に１または２以上の開口部を有することに要旨を有する。以下、本発明衣服の一態様である図１を参照しつつ、説明する。
【００１５】
本発明衣服は運動用のものであるが、これは運動の際に高い効果が発揮されるという意であって、当然に運動時以外でも着用できる。また、本発明衣服は、運動選手の普段の練習時やジョギング時での着用や、体操服としての適用が志向されているが、その高い衣服内換気機能から、競技用ユニフォームへの応用も考えられる。
【００１６】
本発明衣服の着丈Ｌ１は、着用された際における裾線１と着用者の臍点２との距離Ｌ２が、約０〜７ｃｍとなるように設定される。斯かる着丈の決定方法は特に制限されないが、例えば、胸囲や胴囲に対する座高などに応じていくつかのグループを男女別に想定し、各グループごとに本発明の効果を発揮できる範囲でいくつかのサイズを用意すればよい。また、特定の着用者が想定されている場合には、着用者の体型に応じた着丈を設定することもできる。なお、衣服自体のみからは、当該範囲内のものであるか否かは判断できない。しかし、本発明衣服は一般的な衣服よりも胴囲に対する着丈が明らかに短いこと、また、判断対象である衣服の着丈と、当該衣服の対象とされている着用者の標準的な体型を考慮して裾線と臍点の距離を導き出すことによって、本発明衣服であるか否かの判断が可能になる。
【００１７】
「着丈」とは、衣服上のネックポイントから裾までの長さをいう。「臍点」とは、着用者の臍の中心をいう。また、本発明衣服を着用するに際しては、裾線が臍点より胸側にある場合と臍点よりも下半身側にある場合とがある。何れの場合においても、臍点と裾線との距離が約０〜７ｃｍであれば、本発明の範囲に含まれる。
【００１８】
本発明衣服の着用者の臍を隠すという観点からは、本発明衣服の裾線は、着用時に臍点よりも臍点以下（下半身側）にあることが好ましい。また、空気を衣服内部へより効果的に取り入れるために、下衣と重ならない程度の着丈長さにするのが好ましい。臍点と裾線の好適な距離は、後述する実施例の結果から、着用時の裾線が臍点以下（下半身側）にあり、且つ０ｃｍ以上５ｃｍ以下が好ましく、より好適には０ｃｍ以上４ｃｍ以下であり、最適には０ｃｍ以上３ｃｍ以下である。
【００１９】
本発明衣服は、前身頃と後身頃の少なくとも一方に１または２以上の開口部を有する。この開口部は、横方向，縦方向，斜方向およびこれら２以上の組合せのものが考えられるが、横方向の開口部が最も好適である。本発明衣服は、運動時において縦方向によく動く（揺れる）ため、横方向に開口部を設けることによって、衣服内部の換気をより効果的にできるからである。なお、図１の本発明衣服では、横方向と共に縦方向にも開口部を設けている。また、図１では前身頃の図を示しているが、後身頃にも同様に開口部を設けることができる。但し、前身頃と後身頃で同一の開口部を設ける必要はなく、開口部の数や形状は、前身頃と後身頃ごとに適宜選択すればよい。
【００２０】
開口部を設ける位置は、一般的に発汗は正中線付近で多く起こるといえることから、本発明衣服の中央部が好適である。また、後述する実施例の通り、本発明者らが見出した知見によれば、本発明衣服の揺れは正中線付近よりも脇付近で且つ衣服下部（裾付近）で大きい。斯かる観点からは、脇付近で且つ衣服下部に開口部を設けることも好適である。
【００２１】
開口部の長さは、換気が効果的に行なわれるものであれば特に制限されないが、少なくとも一箇所につき５ｃｍ以上であることが好ましい。５ｃｍ未満であると、空気の通りが悪くなるおそれがあるからである。一方、上限は特にないが、開口部長さが長過ぎると衣服強度が低下することや、胴囲や着丈とのバランス等を考慮して上限を定めればよい。
【００２２】
開口部においては、上下布の一部を結合させることが好ましい。例えば、適度な位置で縫合する。開口部における布の垂れ防止や、衣服強度の向上を図るためである。この結合の間隔は、５ｃｍ以上が好適である。
【００２３】
開口部においては、図２に示す様に、下側の布の上部を上側の布で１〜２ｃｍ程度覆うことが好ましい。皮膚が外から見えない様にするためである。また、開口部における上下布の結合部間のそれぞれにおいては、上側布の長さを対応する下側布の長さよりも長くすることが好ましい。開口部における空気の出入りを容易にするためである。斯かる上下布の長さの差としては、例えば、上側布の長さを１０〜３０％程度下側布より長くすればよい。
【００２４】
開口部は、前身頃と後身頃の少なくとも一方に設けるが、少なくとも前身頃に設けることが好ましい。ランニングやジョギングの際には、体の前面から風を受けるため、全身頃に開口部を設けることによって、衣服内部の換気を一層効果的にできるからである。
【００２５】
本発明衣服の生地は特に制限されないが、例えば、Ｔシャツ等によく利用されている綿を挙げることができ、適宜、ポリエステル等の化学繊維を混ぜてもよい。また、衣服全体の形状も特に制限されないが、本発明の効果は特に高温多湿時において発揮されるため、いわゆる半袖Ｔシャツの形状を採用すればよい。但し、競技ユニフォームに適用する場合には、その競技に適した形状にすればよい。
【００２６】
本発明衣服の裾周り長さは、着用者の臍点を含む胴回りの１．４倍以上となるように設定することが好ましい。より好適には、１．５倍以上とする。裾周りにおいて余裕を持たせることによって、衣服の動き（揺れ）を大きくできたり、下部からの空気の取り入れを容易にできるからである。一方、裾周り長さの上限は１．７倍以下が好適であり、１．６倍以下がより好ましい。裾周りを長くし過ぎると、腕振り運動の妨げになるおそれがあるからである。裾周り長さの比較対照として着用者の臍点を含む胴回りを採用したのは、ウェストや腰骨の位置には男女差があり、これらを基準にできないからであり、また、本発明衣服の裾は、着用者の臍点付近にあるように設定されているからである。なお、裾周り長さの決定方法と、当該要件を満たすか否かの判断は、上記着丈の場合と同様とする。
【００２７】
本発明衣服のネックライン長さは、着用者の首周りの１．２倍以上となるように設定することが好ましい。より好適には１．３倍以上、さらに１．４倍以上が好ましい。ネックラインからの空気の出入りを容易にできるからである。一方、その上限は１．７倍以下が好ましく、１．６倍以下がより好ましい。ネックラインを長くし過ぎると、衣服が肩からずり落ちて運動の妨げになるおそれがあるからである。このネックライン長さの決定方法と当該要件を満たすか否かの判断も、上記着丈の場合と同様とする。
【００２８】
以下、実施例を挙げて本発明をより具体的に説明するが、本発明はもとより下記実施例により制限を受けるものではなく、前・後記の趣旨に適合し得る範囲で適当に変更を加えて実施することも可能であり、それらはいずれも本発明の技術的範囲に含まれる。
【実施例】
【００２９】
実施例１  運動中における衣服の揺れの測定
衣服の形状と運動中における衣服の揺れとの関係を実験的に検討した。３名の被験者に、正中線から横7 cm間隔で3列の計測位置１〜２０の印を付けたニット布製の市販ＴシャツであるウェアＡ（図３）と、ウェアＡの着丈を短くし首周りを広げたウェアＢ（図４）を着用させ、標準的なジョギングスピードである時速6 kmでジョギングさせた。被験者と各ウェアとの関係は表１の通りである。なお、ウェアＡとＢの裾周りと胸周りは共に110 cmであり、ウェアＡの首周りは40 cm、ウェアＢの首周りは60 cmである。なお、被験者Ｂの首周りはウェアＡの首周りよりも太いが、ウェアＡはニット布製であるので、その首周りは被験者の首周りに合わせて伸びる。
【００３０】
【表１】
2006193873.tif 000003
【００３１】
環境条件を等しくするために、ジョギングは室内に設置した自動ランニングマシーン（FERAX社製）上で行なわせ、被験者から80 cm離れた位置より送風機（扇風機）で送風した。各ウェアの揺れをデジタルビデオカメラ（ソニー社製，ハンディカム）で撮影した。編集ソフト（ソニー社製バイオ付属，DV gate plus）を用いて画像を２秒間計１２０フレームに分割し、解析ソフト（ヒューテック社製，Impro-2DdA）を用いてウェア上の各計測位置における揺れを解析した。結果を図５〜９に示す。
【００３２】
当該結果より、衣服上の計測位置における横揺れと縦揺れは、押並べてウェアＡよりもウェアＢの方が大きいことが明らかにされた。一方、首周りに近い計測位置１３〜１５では、両ウェアの揺れはほぼ同等であり、ウェアＢで首周りを広げたことは、空気の取り入れ性の向上には寄与すると考えられるが、衣服の揺れには大きな影響を与えないといえる。従って、運動時において衣服の揺れを大きくすることによりふいご効果を発揮せしめるためには、裾位置をある程度高くする必要があることが明らかにされた。
【００３３】
また、図７よりウェアＢの縦揺れは横揺れよりも大きいといえることから、運動時における空気の出入りは、主に裾部分から生じることが考えられる。更に、図８と９によれば、横揺れ縦揺れ共に、脇付近の３列目で且つ衣服下部の揺れが大きい。従って、本発明衣服においては、脇付近で且つ下部に開口部を設けることによって、衣服内部の換気をより活発にできると考えられる。
【００３４】
実施例２  本発明衣服の運動中における揺れの測定
上記ウェアＢと同様の形状のウェアにおいて、図１０に示すように裾線から8 cmさらに7 cmごとの３箇所（計４箇所）の位置に、水平方向へ切れ目（下３箇所は43 cm）を入れ、布地が垂れないよう10〜14 cmごとに縫合し、各切れ目の横にも縦方向に切れ目を入れ、同じく適当な位置を縫合して、前身頃に開口部を有するウェアＣを作成した。また、ウェアＣには、正中線から横5.5 cm間隔で3列の計測位置１〜３０の印を付けた。被験者とウェアとの関係は、以下の通りである。
【００３５】
【表２】
2006193873.tif 000004
【００３６】
ウェアＢまたはＣを着用被験者Ｄ〜Ｈに着用させ、上記実施例１と同様にジョギングさせ、ウェアの揺れを測定した。結果を図１１〜１４に示す。
【００３７】
当該結果によれば、横揺れは測定位置によりウェアＢの方が大きい場合とウェアＣの方が大きい場合があるが、縦揺れについては開口部が設けられたウェアＣの方が明らかに大きい。従って、開口部を設けることによりふいご効果をより効果的に発揮させることができ、且つ体表面と衣服との間の空気の循環を向上できると考えられる。また、ウェアＣのみについては、横揺れは正中線付近ほど大きく、一方縦揺れは脇付近ほど大きかった。
【００３８】
実施例３  本発明衣服の効果の検討
ウェアＡとＣについて、実際の着用の快適さを検討した。上記実施例２と同じ被験者にウェアＡまたはＣを着用させ、室温26℃，湿度55％に設定した実験室内で、安静状態（立位）を6分間，ウォーキングを6分間，ジョギングを15分間，ウォーキングを6分間，安静状態（立位）を6分間維持させた。実験中、1分間隔で皮膚表面温，衣服内温度および衣服内湿度を記録し、また、被験者に温冷感と快適感（計14項目）を-4から+4の9段階スケールで評価させるアンケートを3分間隔で行なった。皮膚表面温の計測は、被験者の上半身計8箇所に温度センサー（タカラサーミスター社製）を取り付けて行ない、衣服内温度と衣服内湿度の計測は、被験者の胸部と背部に計測器（ティアンドディ社製，TR-72）を取り付けて行なった。結果を図１５〜１７に示す。
【００３９】
図１５〜１７によれば、安静時，ウォーキング時，ジョギング時を通じて、皮膚表面温、衣服内温度と衣服内湿度の何れもが、市販のウェアＡを着用した場合よりもウェアＣの場合の方が低いことが分かる。特に、ウェアＡとＣの差異は、ジョギング時とその後のウォーキング時における皮膚表面温と衣服内温度で大きい。従って、本発明衣服の効果は、特に激しい運動を行なうことにより皮膚表面温や衣服内温度が上昇した場合に発揮されることが実証された。
【００４０】
図１８は温冷感に関するアンケート結果の5人の平均を示す図である。当該図から明らかな様に、本発明衣服の方が涼しさと感じさせることが分かる。また、図１９は、快適感の指標となる全ての項目をまとめ、5人の評価の平均値として表したものである。更に図２０は、快適感を評価する各項目についての5人の評価の平均値を表したものである。これら結果によれば、「滑らかさ」や「違和感」など着心地に関する項目についてはほぼ同等であるものの、他の項目、特に湿気や空気の循環に関する項目については、本発明衣服の方が優れていることが分かる。
【００４１】
以上の結果より、本発明衣服は、特に運動時における体温上昇や発汗による不快感を手期限でき、快適に運動を継続できることが証明された。
【図面の簡単な説明】
【００４２】
【図１】本発明衣服の一態様を示す図である。
【図２】本発明衣服に設ける開口部を説明するための図である。
【図３】実施例１で用いた市販のＴシャツ（ウェアＡ）とその計測位置を示す図である。
【図４】ウェアＡで着丈を短くし首周りを広げたウェアＢとその計測位置を示す図である。
【図５】運動時におけるウェアＡとＢの横揺れを示すグラフである。
【図６】運動時におけるウェアＡとＢの縦揺れを示すグラフである。
【図７】運動時におけるウェアＢの揺れ幅を示すグラフである。
【図８】ウェアＢの各測定位置における横揺れを示す図である。図中、左にいくほど衣服上部の計測位置を示し、右にいくほど衣服下部（裾側）の計測位置を示す。
【図９】ウェアＢの各測定位置における縦揺れを示す図である。図中、左にいくほど衣服上部の計測位置を示し、右にいくほど衣服下部（裾側）の計測位置を示す。
【図１０】実施例２で用いた本発明衣服（ウェアＣ）とその計測位置を示す図である。
【図１１】運動時におけるウェアＢとＣの横揺れを示すグラフである。
【図１２】運動時におけるウェアＢとＣの縦揺れを示すグラフである。
【図１３】ウェアＣの各測定位置における横揺れを示す図である。図中、左にいくほど衣服上部の計測位置を示し、右にいくほど衣服下部（裾側）の計測位置を示す。
【図１４】ウェアＣの各測定位置における縦揺れを示す図である。図中、左にいくほど衣服上部の計測位置を示し、右にいくほど衣服下部（裾側）の計測位置を示す。
【図１５】ウェアＡとＣを着用した場合における皮膚表面温を示すグラフである。
【図１６】ウェアＡとＣを着用した場合における衣服内温度を示すグラフである。
【図１７】ウェアＡとＣを着用した場合における衣服内湿度を示すグラフである。
【図１８】ウェアＡとＣを着用した場合における温冷感に関するアンケート結果を示すグラフである。
【図１９】ウェアＡとＣを着用した場合における快適感に関するアンケート結果を示すグラフである。
【図２０】ウェアＡとＣを着用した場合における快適感を評価する各項目についてのアンケート結果を示すグラフである。
【符号の説明】
【００４３】
１  ：  裾線
２  ：  臍点
３  ：  開口部
４  ：  結合部
５  ：  ネックポイント
Ｌ１  ：  着丈
Ｌ２  ：  裾線と着用者の臍点との距離
【図１】
2006193873.tif 000005
【図２】
2006193873.tif 000006
【図３】
2006193873.tif 000007
【図４】
2006193873.tif 000008
【図５】
2006193873.tif 000009
【図６】
2006193873.tif 000010
【図７】
2006193873.tif 000011
【図８】
2006193873.tif 000012
【図９】
2006193873.tif 000013
【図１０】
2006193873.tif 000014
【図１１】
2006193873.tif 000015
【図１２】
2006193873.tif 000016
【図１３】
2006193873.tif 000017
【図１４】
2006193873.tif 000018
【図１５】
2006193873.tif 000019
【図１６】
2006193873.tif 000020
【図１７】
2006193873.tif 000021
【図１８】
2006193873.tif 000022
【図１９】
2006193873.tif 000023
【図２０】
2006193873.tif 000024